(57)【要約】【課題】防水機構を備えつつ、デザイン的に優れた照明器具などの電気器具を提供する。【解決手段】筐体を備えた器具本体と、器具本体部を支える上アームと、上アーム部と回転可能に接続された下アームと、通気性及び防水性を有する呼吸器を備え、呼吸器は、器具本体における上アーム及び上アームの外周を筐体に投影した範囲より内側の範囲における筐体に設けられた穴に設けられている。【選択図】図１
2019023988.tif 000002
【特許請求の範囲】
【請求項１】
筐体を備えた器具本体と、
前記器具本体部を支える上アームと、
前記上アーム部と回転可能に接続された下アームと、
通気性及び防水性を有する呼吸器を備え、
前記呼吸器は、前記器具本体における前記上アーム及び前記上アームの外周を前記筐体に投影した範囲より内側の範囲における前記筐体に設けられた穴に設けられる
ことを特徴とする電気器具。
【請求項２】
前記上アームは、外部空間と接続される隙間を備え、
前記隙間は、下アームと上アームの回転軸方向である側面方向、または器具本体の背面方向より前記外部空間につながっている、請求項１の電気器具。
【請求項３】
被設置面に固定される取付部を備えた電気器具であって、
前記取付部は、取付穴を備えたフランジと、前記フランジ内部に位置し前記被設置面に固定される取付板と、前記取付板に固定され前記取付穴を貫通して前記フランジ外部に突出する取付ビスと、六角穴付ナットを備え、
前記六角穴付ナットは、前記フランジ上面より突出しないよう前記取付ビスに締結される
電気器具。
【請求項４】
さらに下アームを備えた電気器具であって、
前記下アームは前記取付部に回転可能に固定され、
前記下アームは、前記回転を固定するための六角穴付ネジを備え、
前記六角穴付ネジの六角穴は、前記六角穴付ナットと同じサイズである、請求項３に記載の電気器具。
【請求項５】
さらに下アーム及び上アームを備えた電気器具であって、
前記下アーム及び上アームは六角穴付ネジで接続され、
前記六角穴付ネジの六角穴は、前記六角穴付きナットと同じサイズである、請求項３に記載の電気器具。
【請求項６】
被設置面に固定するための取付部を備えた電気器具であって、
前記取付部は、上面と側面を備えたフランジと、フランジ内部に備えられ前記被設置面に固定される取付板と、パッキンを備え、
前記フランジ側面において下側は肉薄部、前記肉薄部の上側は肉厚部となっており、前記パッキンは前記肉厚部の下に入るが前記肉薄部の下には入らず、
前記取付板が前記フランジに締結されることにより、前記パッキンが前記フランジ側面の前記肉厚部に圧縮され、前記取付部が被設置面に固定される、
電気器具。
【請求項７】
前記パッキンは、周縁部に上側突起が設けられ、
前記取付板は、前記上側突起の内側に備えら、
前記パッキンの上側突起が前記フランジ側面の肉厚部に圧縮され、前記取付部が被設置面に固定される、
請求項６に記載の電気器具。
【請求項８】
前記電気器具は、照明器具または監視カメラである、請求項１から７のいずれか１項に記載の電気器具。
【発明の詳細な説明】
【技術分野】
【０００１】
本発明は、主に屋外の壁面・天井・床面あるいは設置台などに設置される照明器具・監視カメラ等の電気器具に関する。
【背景技術】
【０００２】
屋外・水泳場・浴室など水がかかる可能性のある場所の壁面・天井などの被設置面に取り付けられる照明器具では、防水対策を施すことが必要である。特許文献１中の従来技術として、アームを支持するフランジ（取付台）を壁面に取り付ける場合に、フランジと壁面の間にゴム製パッキンを介在させて防水効果を持たせた例が記載されている。また、フランジを壁面に固定するため、フランジ内の取付板を壁面に固定し、取付板をフランジ外側より締付ナットで固定されるようにしている。
【０００３】
この締付ナットはフランジ面の外部に突出しているが、締付ナットが突出しない構成が特許文献２に示されている。
【０００４】
そして、一般的な防水性を持たせた場合であっても、器具内部の温度が一旦上昇後降下することにより負圧となるなどの理由により、完全に水の浸入を防ぐことが難しい。そのため、特許文献３に示すように、通気孔に雨水を流入させずに空気を流出入させることができる膜体を器具に備え付けた例がある。これにより器具内外の圧力差がなくなるため負圧による水の吸い込みを防ぐことができるとともに、器具内の湿気を器具外に放出することができる。
【先行技術文献】
【特許文献】
【０００５】
【特許文献１】特開２０００−１１７５０号公報
【特許文献２】意匠登録１４５８７６１号公報
【特許文献３】特開平５−２９８９０４号公報
【発明の概要】
【発明が解決しようとする課題】
【０００６】
今日、屋外用ＬＥＤ照明器具やその取付機構を流用した屋外用監視カメラなどの電気器具において、防水という性能を満足することは当然のこととして、軽量化を図りつつ、デザイン的にも優れた照明器具等が求められている。
【０００７】
そのため、第１の課題は、防水用通気孔とそこに装着する呼吸器が目立たないデザインとすることである。
【０００８】
第２の課題は、取付フランジ部上面の突出部をなくし、すっきりした取付部を実現することである。特許文献２では、取付フランジ上面から突出しないビスで固定しているが、それに伴い取付板の形状を大きく変えている。取付板下のパッキンを用いた防水性の観点、軽量・小型化などの観点から、他の解決策が求められる。
【０００９】
第３の課題は、取付フランジ部における防水機構であるパッキンが目立たない、デザイン性に優れた器具を提供することである。
【課題を解決するための手段】
【００１０】
本発明は、筐体を備えた器具本体と、前記器具本体部を支える上アームと、前記上アーム部と回転可能に接続された下アームと、通気性及び防水性を有する呼吸器を備前記呼吸器は、前記器具本体における前記上アーム及び前記上アームの外周を前記筐体に投影した範囲より内側の範囲における前記筐体に設けられた穴に設けられることを特徴とする電気器具である。
【００１１】
前記上アームは、外部空間と接続される隙間を備え、前記隙間は、下アームと上アームの回転軸方向である側面方向、または器具本体の背面方向より前記外部空間につながっていることが好ましい。
【００１２】
本発明は、被設置面に固定される取付部を備えた電気器具であって、前記取付部は、取付穴を備えたフランジと、前記フランジ内部に位置し前記被設置面に固定される取付板と、前記取付板に固定され前記取付穴を貫通して前記フランジ外部に突出する取付ビスと、六角穴付ナットを備え、前記六角穴付ナットは、前記フランジ上面より突出しないよう前記取付ビスに締結される電気器具である。
【００１３】
本発明は、さらに下アームを備え、前記下アームは前記取付部に回転可能に固定され、前記下アームは、前記回転を固定するための六角穴付ネジを備え、前記六角穴付ネジの六角穴は、前記六角穴付ナットと同じサイズであることが好ましい。
【００１４】
本発明は、さらに下アーム及び上アームを備え、前記下アーム及び上アームは六角穴付ネジで接続され、前記六角穴付ネジの六角穴は、前記六角穴付ナットと同じサイズであることが好ましい。
【００１５】
本発明は、被設置面に固定するための取付部を備えた電気器具であって、前記取付部は、上面と側面を備えたフランジと、フランジ内部に備えられ前記被設置面に固定される取付板と、パッキンを備え、前記フランジ側面において下側は肉薄部、前記肉薄部の上側は肉厚部となっており、前記パッキンは前記肉厚部の下に入るが前記肉薄部の下には入らず、前記取付板が前記フランジに締結されることにより、前記パッキンが前記フランジ側面の前記肉厚部に圧縮され、前記取付部が被設置面に固定される電気器具である。
【００１６】
上記発明において、前記パッキンは、周縁部に上側突起が設けられ、前記取付板は、前記上側突起の内側に備えられ、前記パッキンの上側突起が前記フランジ側面の肉厚部に圧縮され、前記取付部が被設置面に固定されることが好ましい。
【００１７】
上記発明に係る電気器具は、照明器具または監視カメラであることが好ましい。
【発明の効果】
【００１８】
本発明に係る電気器具は、防水性を備えるとともにデザイン性に優れ、特に屋外用照明器具、監視カメラとして好適である。
【図面の簡単な説明】
【００１９】
【図１】実施形態１に係る照明器具の正面図、左側面図及び右側面図。
【図２】実施形態１に係る照明器具の取付部の正面方向断面図及び側面方向断面図。
【図３】実施形態１に用いる六角穴付ナットの斜視図及び断面図。
【図４】実施形態１に係る照明器具のジョイント部近傍の正面断面図及び底面断面図。
【図５】実施形態１に係る照明器具に用いる呼吸器の斜視図。
【図６】実施形態１に係る照明器具のジョイント部を折り曲げたｂ側面図。
【図７】実施形態２に係る照明器具のｖ側面図。
【図８】実施形態２に係る照明器具のジョイント部近傍の正面断面図。
【図９】実施形態３に係る照明器具の取付部の断面図。
【図１０】実施形態４に係る照明器具の右側面図及び背面図。
【発明を実施するための形態】
【００２０】
以下、本発明の好適な実施形態について、図面を参照しつつ説明する。なお説明中の上下は被設置面を下とした場合の位置関係である。
【００２１】
＜１．実施形態１＞
図１（ａ）、（ｂ）、（ｃ）は、それぞれ本発明の実施形態１に係る照明器具１００の正面図、右側面図、左側面図である。照明器具１００は、例えば屋外の壁面などに設置され、壁面・壁面に設置された看板や路面を照明するスポットライト（投光器ともいう）である。
【００２２】
照明器具１００は、取付部１１０、アーム部１２０、器具本体１３０から構成される。
【００２３】
アーム部１２０は、下アーム１２１、六角穴付の回転用ビス１２２、六角穴付のジョイント部ビス１２４、上アーム１２５よりなる。部材ではないが、上アーム１２５と下アーム１２１のジョイント部１２６、上アーム１２５と下アーム１２１の隙間１２７Ｒがある。下アーム１２１と上アーム１２５とは、六角穴付ジョイント部ビス１２４で回転可能に接続され、器具本体１３０の可動範囲における任意の角度で固定できるようになっている。
【００２４】
器具本体１３０は、筐体１３１、ウインドウ１３２及び内部構成部材であるＬＥＤ１３３、反射板１３４、点灯装置１３７、呼吸器１３６などよりなる。円筒形の筐体１３１とウインドウ１３２は器具本体１３０の外面を構成しており、その内部を防水空間としている。点灯装置１３７にはコード１４０が接続され、供給された交流電力を、ＬＥＤ１３３を駆動する直流電力に変換する。なお、器具本体１３０において、図（ｂ）に示すようにＸ方向及びＺ方向を定義する。
【００２５】
図１（ｃ）において、回転用ビス１２２、六角穴付ジョイント部ビス１２４と、六角穴付ナット１１２の六角穴を同一サイズとすることにより、一つの六角レンチで照明器具１００の設置と向きの変更・固定を続けて行うことができ、設置作業の作業性が向上する。
【００２６】
図２（ａ）は、取付部１１０の正面方向断面図、図２（ｂ）は側面方向断面図である。
【００２７】
図２（ａ）を参照して、取付部１１０は、フランジ１１１、２本の六角穴付ナット１１２、パッキン１１３、取付板１１４、取付板１１４に溶接された２本の取付ビス１１５、回転支持部１１６を備える。フランジ１１１はフランジ上面１１１Ｓ及びフランジ側面１１１Ａ、取付穴１１１Ｔを備える。パッキン１１３はフランジ側面１１１Ａの内側に備えられ、外部からほぼ見えないようになっている。フランジ１１１の外径Ｄ１は１２０ｍｍ、高さＨ１は３５ｍｍである。また、図２（ａ）を参照して、取付板１１４は設置ビス１１８で被設置面に固定されている。
【００２８】
図３は六角穴付ナット１１２の斜視透視図である。六角穴付ナット１１２はナット部１１２Ｎを備えるナットではあるが、頭部に六角穴１１２Ｈを設けているため、あたかも六角穴付ビスであるかのように取り扱うことができる。しかも六角穴付ビスと異なり、フランジ側にナット部を必要としない。なお、六角穴付ナット１１２の外周面に縦縞を入れるなどの化粧加工を施すことが好ましい。
【００２９】
図２（ａ）において、フランジ側面１１１Ａの内部は、下側が肉薄部１１１Ｕとなっており、その上側に肉厚部１１１Ｖを備える。パッキン１１３の周縁部は肉厚部１１１Ｖの下に入るが、肉薄部１１１Ｕの下には入らない。そしてパッキン１１３の周縁部には上側突起１１３Ａが設けられており、取付板１１４は上側突起１１３Ａの内側にはまるようになっている。
【００３０】
図２（ｂ）を参照して、取付板１１４は、設置ビス１１８で被設置面に固定され、それにより取付部１１０全体が被設置面に固定されている。
【００３１】
取付穴１１１Ｔを貫通しフランジ外部に突出した取付ビス１１５に六角穴付ナット１１２を取付け、締め付けることにより、取付板１１４とフランジ１１１が固定され、それにより取付部１１０が被設置面に締結されるが、その際フランジ側肉厚部１１１Ｖが上側突起１１３Ａと接触し圧縮することにより、パッキン１１３とフランジ１１１間の防水性を確保することができる。フランジ側肉厚部１１１Ｖの下面とパッキンの下側突起１１３Ｂ・１１３Ｃの下端部との距離ａは、パッキンの上側突起１１３Ａのパッキン底面からの厚さｂより２ｍｍほど短くしているため、パッキンの上側突起１１３Ａ・パッキンの下側突起１１３Ｂ・１１３Ｃが押しつぶされない状態ではフランジ１１１の下端部と被設置面との間に約２ｍｍの隙間があるが、パッキンの上側突起１１３Ａ、パッキンの下側突起１１３Ｂ・１１３Ｃを押しつぶすことによりこの隙間は１ｍｍ以下となるため、パッキン１１３はフランジ１１１の外部からほとんど見えない。なお、パッキンの下側突起１１３Ｂ・１１３Ｃは、パッキン１１３の周囲に配されて、上側突起１１３Ａの圧縮と同時に圧縮されることにより、被設置面とパッキン１１３との間の防水性を高めている。
【００３２】
回転支持部１１６は、ネジ１１７でフランジ１１１に固定されている。回転支持部１１６は、図１（ｃ）に図示された中空の下アーム１２１及びそれに取り付けられた回転用ビス１２２を受けるくぼみ１１６Ｒを有しており、回転用ビス１２２を緩めることによりフランジ１１１に対して下アーム１２１を回転させ、回転用ビス１２２を締めることにより固定することができる。
【００３３】
コード１４０は、パッキン１１３の一部に設けられた穴を通ってフランジ１１１の内部に入り、回転支持部１１６内の空洞を通って下アーム１２１に入る。
なお、六角穴付ナット１１２は、パッキン１１３がない場合であってもフランジ１１１の取付けに用いることができ、防水を必要としない室内用照明器具等の設置にも適用可能である。
【００３４】
図４（a）及び（ｂ）は、筐体１３１内の圧力を外部と同様に保ち、水の浸入を防ぐとともに湿気を放出する呼吸器１３６の設置状況を説明するための、図１（ｂ）Ａ−Ａ断面における正面断面図及び図１（ａ）Ｂ−Ｂ断面における底面断面図であり、図５は呼吸器１３６の斜視図である。呼吸器１３６は本体側１３６Ｓと取付側１３６Ｔからなる。筐体１３１には、呼吸器１３６の取付側１３６Ｔを設置するための穴１３１Ｈが設けられている。図４（ｂ）を参照して、上アーム１２５は中央に仕切り１２５Ｄが設けられ、その右側には、呼吸器１３６の本体側１３６Ｓと外部空間をつなぐ隙間１２７Ｒがある。このような構成により、筐体１３１内の湿気は呼吸器１３６を通じて隙間１２７Ｒより外部空間に放出される。なお、上アーム右部また、ジョイント部ビス１２４の中心軸１２４ＡＸを含み筐体１３１の方向に平行な断面とその奥を透視する図４（ｂ）を参照して、呼吸器１３６は少なくとも一部が下アーム１２１及び上アーム１２５（断面部を実線、筐体１３１との接続部を破線で表示）をＺ方向（筐体１３１のＸ方向に垂直な方向）に筐体１３１に投影した範囲内にある。そのため右側面図である図１（ｂ）において、点線で示す呼吸器１３６は外部から直接見える位置になく、呼吸器の存在を感じさせないデザインが実現できる。なお「投影」の方向は図１（ｂ）のＺ方向、つまり円筒型の筐体１３１の軸であるＸに直交する方向である。
【００３５】
呼吸器１３６の位置について、上記のようにジョイント部の中心軸を基準とする方法は、上アームが著しく長い場合やフレキシブルアームの場合は適当でないが、そのような場合も、筐体近傍のアーム外周を筐体に仮想的に投影した範囲内に、呼吸器の少なくとも一部が設置されていればよい。
【００３６】
なお、呼吸器は図５に示すように、ビスのように一方が広がり他方にネジを切った形状になっており、水を通さない防水性と気体である空気や水蒸気を通す通気性を有している。呼吸器の種類にもよるが、呼吸器１３６の本体側１３６Ｓを筐体１３１内部に設置してもよい場合がある。
【００３７】
図６はジョイント部１２６のアーム取付角度を動かして器具本体１３０を９０°傾けた右側面図である。六角穴付ナット１１２がフランジ上面１１１Ｓから突出していないため、器具本体１３０の後端部とフランジ上面１１１Ｓとの距離ｇをぎりぎりまで近づけて、下アーム１２１を図のＲＴ方向に回転することができるため、照明器具１００全体の小型化が可能になり、機能性・デザイン性が向上する。
【００３８】
なお、照明器具１００はこのように取付部と下アームとの回転と下アームと上アームの回転が可能であるため、位置関係が変わるが、本明細書ではそのような場合であっても、図６のＲＴで示された回転によらず、器具本体１３０の右側面及び左側面が見える方向を側面方向とする。
【００３９】
＜２．実施形態２＞
実施形態２に係る照明器具２００の右側面図を図７に示す。下アーム２１９がフランジ２１１と一体化された部材となっており、取付部２１０の一要素となっている。また、上アーム２３９が筐体２３１と一体化された部材となっており、器具本体２３０の一要素となっている。そのため器具全体として２つの構成部材からなっている。下アーム２１９と上アーム２３９はジョイント部ビス２２４（図８参照）で角度可変に固定できるように取り付けられている。呼吸器２３６は隙間２２７Ｒにつながっている。
【００４０】
図８は、呼吸器２３６の設置状況を説明するためのジョイント部近傍の正面断面図である。筐体２３１に呼吸器２３６を設置するための穴２３１Ｈが仕切り２３９Ｄより右側、筐体から突出する上アーム右部２３９Ｔの内側に設けられ、そこに呼吸器２３６が挿入されている。穴２３１Ｈの位置は、ジョイント部ビス２２４の位置における下アーム２１９・上アーム２３９の外周が筐体２３１に投影された範囲内でもある。呼吸器２３６は隙間２２７Ｒから外部空間につながっているが、上アーム右部２３９Ｔがあるため、呼吸器２３６が外部空間から直接見えない。筐体２３１から突出した仕切り２３９Ｄより左側の上アーム２３９内部には、コード２４０が下アーム２１９まで通っている。上アーム２３９と下アーム２１９はジョイント部ビス２２４で接続されている。このような構成により、呼吸器２３６を下アーム２１９の外周が筐体２３１に投影される範囲内に目立たないように設置することができる。なお、上アーム右部２３９Ｔがなくてもよく、その場合右側面から呼吸器２３６がわずかに見えるが、目立つものではない。特に器具の色と呼吸器２３６の色が同じであれば、呼吸器はより目立たない。
【００４１】
＜３．実施形態３＞
実施形態３に係る照明器具３００は、照明器具１００の取付部１１０を薄型化したものである。
【００４２】
取付部３１０の断面図である図９を参照して、取付部３１０は、外径Ｄ３が１２０ｍｍなのに対し取付部の厚さＨ３が２３ｍｍと薄くなっており、デザイン性が向上している。フランジ側面３１１Ａの内部は、下側が肉薄部３１１Ｕ、上側が肉厚部３１１Ｖとなっている。パッキン３１３の周縁部は肉厚部３１１Ｖの下に入るが、肉薄部３１１Ｕの下には入らない。そしてパッキン３１３の周縁部には上側突起３１３Ａが設けられており、取付板３１４はこの突起の内側にはまるようになっている。フランジ側肉厚部３１１Ｖはフランジ３１１の上面肉厚部と一体となっている。２本の取付ビス３１５は取付板３１４に溶接されている。
【００４３】
取付穴３１１Ｔを貫通しフランジ外側に突出した取付ビス３１５に六角穴付ナット３１２を取り付け、締め付けることにより、フランジ側肉厚部３１１Ｖがパッキン上側突起３１３Ａと接触し圧縮するとともに、パッキンの下側突起３１３Ｂ・３１３Ｃを圧縮し、パッキン３１３とフランジ３１１間及び被設置面とパッキン３１３間の防水性を確保することができる。
【００４４】
図９中、回転支持部１１６、くぼみ１１６Ｒ、ネジ１１７、コード１４０は実施形態１と同じものを用いている。また取付部３１０以外は実施形態１と同じである。
【００４５】
＜４．実施形態４＞
実施形態１において、呼吸器は側面の空間に繋がっていたのに対し、実施形態４では呼吸器が器具本体の背面空間にも繋がっている。
【００４６】
図１０（ａ）、（ｂ）はそれぞれ実施形態４に係る照明器具４００の右側面図及び背面図である。照明器具４００は、取付部４１０、アーム部４２０、器具本体４３０から構成される。
【００４７】
取付部４１０は、フランジ４１１及び六角穴付ナット４１２を備える。
【００４８】
アーム部４２０は、下アーム４２１、上アーム４２５を備える。下アーム４２１はジョイント部分で２本に分かれ、その間に上アーム４２５が組み合わされている。上アーム４２５と筐体４３１の間の背面側に隙間４２７を設けてある。
【００４９】
器具本体４３０は、筐体４３１、穴４３１Ｈ、呼吸器４３６などよりなる。呼吸器４３６は下アーム４２１の外周が筐体４３１に投影された範囲に設けられた穴４３１Ｈに設置され、背面側の隙間４２７より外部空間につながっている。このため、呼吸器４３６が見えないのはもとより、隙間４２７も正面から見えず、左側面・右側面からもほとんど見えない。そのため呼吸器４３６を設置してもデザインを損なうことがない。
【００５０】
なお、呼吸器４３６は側面空間に繋がっていても良く、複数の隙間から外部空間に繋がることにより、空気の流通が促進され、仮に隙間に雨水がたまった場合でもすみやかに蒸発あるいは流出する。
【００５１】
＜５．変形例＞
上述の実施形態は照明器具本体をアームとフランジで支持する構造としたが、照明器具本体を監視カメラ（静止画あるいは動画撮影用）、あるいはカメラと照明を一体化した器具に置き換えてもよい。また、本器具に人感センサをつけてもよく、そのような器具は、人が来た時だけ照明あるいは撮影することができ好適である。
【００５２】
上述の実施形態において、照明器具は一般的な色である電球色、昼白色、昼光色などを発するが、これ以外の可視光であってもよく、さらに赤外線、紫外線といった特殊光を発しても良い。特に赤外線は、夜間の監視カメラ用照明として好適である。
【００５３】
上述の実施形態において、アームは手動で回転・固定可能としたが、モーターで動かししてもよい。モーターの動力は各実施形態で記載されている電源コードから供給することができる。
【００５４】
上述の実施形態において、照明器具本体の形状は円筒状としたが、四角柱状など別の形状であってもよい。
【００５５】
上述の実施形態において、フランジの上面形状は円形としたが、四角形など別の形状であってもよい。フランジの固定は２カ所としたが、３カ所・４カ所などであってもよい。
【００５６】
上述の実施形態において、フランジを被設置面に設置したが、ポール（柱）などに回転支持部を取付け、そこに下アームを取り付けることにより、フランジを用いずポールに本器具を取付けてもよい。
【００５７】
以上、本発明の主たる実施形態について説明したが、本発明は、上記の実施形態に限定されるものではない。
【符号の説明】
【００５８】
１００、２００、３００、４００    照明器具
１１０、２１０、３１０、４１０    取付部
１１１、２１１、４１１    フランジ
１１１Ｓ  フランジ上面
１１１Ａ、３１１Ａ  フランジ側面
１１１Ｕ、３１１Ｕ  肉薄部
１１１Ｖ、３１１Ｖ  肉厚部
１１１Ｔ、３１１Ｔ  取付穴
１１２、３１２、４１２    六角穴付ナット
１１３    パッキン
１１３Ａ、３１３Ａ  上側突起
１１３Ｂ、１１３Ｃ、３１３Ｂ、３１３Ｃ  下側突起
１１４    取付板
１１５、３１５    取付ビス
１１６    回転支持部
１１６Ｒ  くぼみ
１１７    ネジ
１１８    設置ビス
１２０、４２０    アーム部
１２１、２１９、４２１    下アーム
１２２    回転用ビス
１２４、２２４、３２４    ジョイント部ビス
１２５、２３９、４２５    上アーム
１２５Ｄ、２３９Ｄ  仕切り
１２６、２２６、４２６    ジョイント部
１２７Ｒ、２２７Ｒ、４２７  隙間
１３０、４３０    器具本体
１３１、２３１、３３１、４３１    筐体
１３１Ｈ、２３１Ｈ、４３１Ｈ    穴
１２５Ｒ、２３９Ｔ  上アーム右部
１３２    ウインドウ
１３３    ＬＥＤ
１３４    反射板
１３６、２３６、４３６    呼吸器
１３６Ｓ  本体側
１３６Ｔ  取付側
１３７    点灯装置
１４０、２４０    コード
【図１】
2019023988.tif 000003
【図２】
2019023988.tif 000004
【図３】
2019023988.tif 000005
【図４】
2019023988.tif 000006
【図５】
2019023988.tif 000007
【図６】
2019023988.tif 000008
【図７】
2019023988.tif 000009
【図８】
2019023988.tif 000010
【図９】
2019023988.tif 000011
【図１０】
2019023988.tif 000012